(57)【要約】      （修正有）【課題】ペットに不快感や恐怖感を与えることなくブラッシングをすることができ、且つブラッシングをする人にとっても手軽にブラッシングが行なえるペット用ブラシの提供を目的とする。【解決手段】先端側に、下面にブラシピン２と抜毛用吸引口５とが設けられているブラシ本体３が配設し、後端側に、一端部が前記ブラシ本体３の後部に取付けられ、他端部が後方へ向けらている、吸引装置を連結可能な筒型の把持部４を配設し、把持部４の内部と抜毛吸引口５とを、ブラシ本体３内に設けられている空気の流通路３ａにより連通する。そして、ブラシ本体３の先端部に、流通路３ａによって把持部４の内部および抜毛用吸引口５と連通されている開口部６を設け、連結された吸引装置により生じる開口部６から把持部４に至る空気の流れが、ほぼ直線状になるように流通路３ａを設ける。【選択図】図１
2006068485.tif 000002
【特許請求の範囲】
【請求項１】
先端側に、下面にブラシピンと抜毛回収用の吸引口とが設けられているブラシ本体が配設され、後端側に、一端部が前記ブラシ本体の後部に取付けられ、他端部が後方へ向けられている、吸引装置を連結可能な筒型の把持部が配設されており、前記把持部の内部と前記吸引口とが、前記ブラシ本体内に設けられている空気流通路により連通されているペット用ブラシにおいて、
前記ブラシ本体の先端側に、前記空気流通路によって前記把持部の内部および前記吸引口と連通されている開口部が設けられ、連結された前記吸引装置によって生じる前記開口部から前記把持部に至る空気の流れがほぼ直線状になるように、前記空気流通路が設けられていることを特徴とするペット用ブラシ。
【請求項２】
前記開口部が、前記把持部の前方延長上に位置するように前記ブラシ本体の先端部に設けられており、前記開口部から前記把持部へ至る前記空気流通路が、前記把持部の前方延長上に沿って設けられていることを特徴とする請求項１記載のペット用ブラシ。
【請求項３】
前記ブラシ本体に、前記開口部の開度を調節可能な開閉ゲートが設けられていることを特徴とする請求項１または２に記載のペット用ブラシ。
【請求項４】
前記吸引口が、前記ブラシ本体のほぼ下面の広さに相当する大きさで設けられており、その縁部に沿って前記ブラシピンが配置されていることを特徴とする請求項１〜３のいずれかに記載のペット用ブラシ。
【請求項５】
前記ブラシピンに対応する位置に、同ブラシピンを挿通可能な貫通孔が設けられているスクレーパが、前記貫通孔に前記ブラシピンを挿通した状態で、同ブラシピンに沿って摺動自在に設けられており、前記スクレーパが、前記ブラシピンの基端部に位置した状態で保持可能になっていることを特徴とする請求項１〜４のいずれかに記載のペット用ブラシ。
【請求項６】
前記ブラシピンに対応する位置に前記ブラシピンを挿通可能な貫通孔が設けられているスクレーパを備え、このスクレーパは、前記貫通孔に前記ブラシピンを挿通した状態で、前記ブラシピンに沿って摺動し、且つ前記ブラシピンに一端を保持させた付勢手段、或は、前記ブラシ本体との間に設けられた付勢手段によって前記ブラシピンの先端方向に付勢されており、
前記付勢手段の付勢力を、前記ペット用ブラシをペットに当てると前記スクレーパが後退する程度の力にすることを特徴とする請求項１〜４のいずれかに記載のペット用ブラシ。
【請求項７】
不使用時の前記スクレーパが前記ブラシピンの先端に位置していることを特徴とする請求項６記載のペット用ブラシ。
【請求項８】
一端部に、前記ブラシピン間に挿入可能な掻き取り部が櫛歯状に設けられているスクレーパを備え、このスクレーパを、他端部で前記ブラシ本体に旋回可能に支持させて、前記掻き取り部が、前記ブラシピン間に挿入された状態で前記ブラシピンに沿って摺動するようにし、且つ前記ブラシ本体との間に設けられている付勢手段によって前記ブラシピンの先端方向に旋回する向きに付勢し、
前記付勢手段の付勢力を、前記ペット用ブラシをペットに当てると前記スクレーパが後退する程度の力にすることを特徴とする請求項１〜４のいずれかに記載のペット用ブラシ。
【請求項９】
不使用時の前記掻き取り部が、前記ブラシピンの先端に位置していることを特徴とする請求項８記載のペット用ブラシ。
【発明の詳細な説明】
【技術分野】
【０００１】
本発明は、犬や猫などのペットをブラッシングするために用いるブラシに関し、抜毛を吸引しながらブラッシングすることができるペット用ブラシに関するものである。
【背景技術】
【０００２】
従来、犬や猫などのペットをブラッシングする際、一般的に用いられているブラシ、即ち、ブラシ本体にブラシピンが取付けられているだけのブラシを用いて行なうと、抜毛がブラシピンに絡み付いたり、周囲に飛散するなどして後始末に手間がかかることがある。また、このように抜毛が室内に飛散していると、必ずしも衛生的に良い環境とは言えない。
【０００３】
そこで、抜毛を回収しつつブラッシングすることができるブラシが種々提案されている。これらのブラシは主に、柔軟性を有するブラシピンと抜毛用の吸引口とが下面に設けられているブラシ本体と、このブラシ本体に一端部で取付けられている排気管とからなり、排気管の内部と吸引口とは、ブラシ本体内に設けられている空気の流通路により連通されている。
【０００４】
また排気管は、吸引装置と連結できるようになっており、吸引口から空気を吸い込みながらブラッシングできるようになっている。こうして、ブラッシング中に生じた抜毛を吸引口から吸い込むことにより回収し、抜毛の飛散を防止することができるのである。（例えば、特許文献１参照）。
【特許文献１】特開平１０−９４４３０号公報（第１〜３頁および第１、２、４図）
【発明の開示】
【発明が解決しようとする課題】
【０００５】
しかしながら上記のようなブラシでは、吸引口の吸引力でペットの皮膚が強く引張られるために、ペットがブラッシングを嫌がり、吸引音も大きいためペットが怖がって逃げ出したりすることがある。また、大きい吸引音はブラッシングをしている人にとっても耳障りで使いにくいという不都合もある。
【０００６】
そこで本発明は、ペットに不快感や恐怖感を与えることなくブラッシングが行なえ、且つブラッシングをする人にとっても手軽にブラッシングが行なえるペット用ブラシの提供を目的としている。
【課題を解決するための手段】
【０００７】
上記の課題を解決するため請求項１記載のペット用ブラシは、先端側に、下面にブラシピンと抜毛回収用の吸引口とが設けられているブラシ本体が配設され、後端側に、一端部が前記ブラシ本体の後部に取付けられ、他端部が後方へ向けられている、吸引装置を連結可能な筒型の把持部が配設されており、前記把持部の内部と前記吸引口とが、前記ブラシ本体内に設けられている空気流通路により連通されているペット用ブラシにおいて、前記ブラシ本体の先端側に、前記空気流通路によって前記把持部の内部および前記吸引口と連通されている開口部を設けるとともに、連結された前記吸引装置によって生じる前記開口部から前記把持部に至る空気の流れが、ほぼ直線状になるように前記空気流通路を設けることを特徴としている。
【０００８】
請求項１に記載のペット用ブラシによれば、前記吸引装置を連結して吸引を行なうと、前記開口部から前記ブラシ本体内に空気を取入れ易くなるため、前記開口部と前記吸引口とが前記空気流通路で連通されていることから前記吸引口の吸引力を効果的に抑えることが可能になる。これにより、空気を吸引する際に生じる吸引音もより小さくすることができる。
【０００９】
さらに、前記ブラシ本体内に流入した空気が、スムーズに前記把持部に流れ込むようになるため、前記開口部に生じる吸引音も抑えることができる。
【００１０】
したがって、ブラッシングの際にペットの皮膚を引張りすぎることがないし、吸引音も抑えられているため、ペットに不快感や恐怖心を与えることなくブラッシングできるようになる。
【００１１】
請求項２に記載のペット用ブラシは、開口部を、把持部の前方延長上に位置するようにブラシ本体の先端部に設け、前記開口部から前記把持部へ至る前記空気流通経路が、前記把持部の前方延長上に沿って設けることを特徴としている。こうすると、前記開口部から前記ブラシ本体内により空気をより取入れ易くなるため、請求項１の作用、つまり前記吸引口の吸引力を効果的に抑える作用や、前記開口部や吸引口の吸引音を抑える作用とを、より一層生じさせ易くすることができる。
【００１２】
請求項３記載のペット用ブラシは、ブラシ本体に、開口部の開度を開度調節可能な開閉ゲートを設けることを特徴としている。このようにすれば、前記開口部から前記ブラシ本体に流入する空気量を変えることができるため、吸引装置の能力やペットの毛の長さに応じた適切な空気量にすることが可能になる。
【００１３】
請求項４記載のペット用ブラシは、吸引口をほぼブラシ本体の下面の広さに相当する大きさで設けるとともに、その縁部に沿ってブラシピンを配置することを特徴としている。こうすると、ブラッシング中に抜けた毛を前記吸引口から吸引し易くなり、より抜毛の飛散を抑えることができる。
【００１４】
請求項５記載のペット用ブラシは、前記ブラシピンに対応する位置に、同ブラシピンを挿通可能な貫通孔が設けられているスクレーパを、前記貫通孔にブラシピンを挿通した状態で、同ブラシピンに沿って摺動自在に設けて、そして、前記スクレーパを、前記ブラシピンの基端部に位置した状態で保持可能にすることを特徴としている。
【００１５】
請求項５記載のペット用ブラシによると、ブラッシングをした後に、前記スクレーパを、前記ブラシピンの先端方向に摺動させることで、前記ブラシピンに絡み付いているペットの抜毛を、前記スクレーパで簡単に掻き取ることができる。
【００１６】
なお、前記スクレーパの保持は、例えば、ブラシ本体やブラシピンに着脱可能に嵌合させる方法や、係止部を設けて係合させる方法、付勢手段により前記スクレーパを、前記ブラシピンの先端から基端方向へ付勢して行なう方法などを用いることができる。
【００１７】
請求項６記載のペット用ブラシは、ブラシピンに対応する位置に前記ブラシピンを挿通可能な貫通孔が設けられているスクレーパを設け、このスクレーパを、前記貫通孔に前記ブラシピンを挿通した状態で、前記ブラシピンに沿って摺動させ、且つ前記ブラシピンに一端を保持させた付勢手段、或は、前記ブラシ本体との間に設けた付勢手段によって前記ブラシピンの先端方向に付勢する。そして、前記付勢手段の付勢力を、前記ペット用ブラシをペットに当てると前記スクレーパが後退する程度の力にすることを特徴としている。
【００１８】
請求項６記載のペット用ブラシによれば、前記ブラシピンに対応する位置に設けた前記貫通孔に前記ブラシピンを挿通した状態で、前記スクレーパを前記ブラシピンに沿って摺動させて、前記スクレーパを前記付勢手段で前記ブラシピンの先端方向に付勢することによって、ブラッシング後に前記ブラシピンに絡みついているペットの抜毛を自動的に除去することができる。
【００１９】
つまり、ブラッシングの際に前記ペット用ブラシをペットに当てると、前記スクレーパが前記ブラシピンに沿って摺動しながら前記ブラシピンの基端方向に後退するため、前記ブラシピンが前記スクレーパの下面から突出した状態になりペットをブラッシングすることができる。そして、前記ペット用ブラシをペットから離すと、前記スクレーパは前記付勢手段の付勢力によって前記ブラシピンの先端方向へ自動的に移動する。
【００２０】
この際、前記スクレーパは前記貫通孔に前記ブラシピンを挿通した状態で前記ブラシピンに沿って摺動するため、前記ブラシピンに絡みついている抜毛が前記スクレーパによって掻き取られるのである。なお、こうして掻き取られたペットの抜毛は前記ブラシ本体の吸引口から吸引されて回収される。
【００２１】
それから、請求項７記載のペット用ブラシのように、不使用時のスクレーパを、ブラシピンの先端に位置するようにすれば、前記ペット用ブラシをペットから離すと、前記スクレーパが前記ブラシピンの先端まで戻るため、前記ブラシピンに絡みついた抜毛を残らず掻き取ることができる。
【００２２】
請求項８記載のペット用ブラシは、一端部にブラシピン間に挿入可能な掻き取り部が櫛歯状に設けられているスクレーパを備え、このスクレーパを他端部でブラシ本体に旋回可能に支持させて、前記掻き取り部が前記ブラシピン間に挿入した状態で前記ブラシピンに沿って摺動するようにし、且つ前記ブラシ本体との間に設けた付勢手段により前記ブラシピンの先端方向に旋回する向きに付勢する。そして、前記付勢手段の不勢力を、前記ペット用ブラシをペットに当てると前記スクレーパが後退する程度の力にすることを特徴としている。
【００２３】
請求項８記載のペット用ブラシによれば、ブラッシング後に前記ブラシピンに絡みついたペットの抜毛を自動的に取除くことができる。
【００２４】
即ち、ブラッシングの際に、前記ペット用ブラシをペットに当てると、前記スクレーパが前記ブラシピンの基端方向に後退することにより、前記掻き取り部の間から前記ブラシピンが突出しブラッシングが行なえるようになる。
【００２５】
そして、前記ペット用ブラシをペットから離すと、前記スクレーパが、前記付勢手段の付勢力によって前記ブラシピンの先端方向に自動的に旋回する。この際、前記掻き取り部が、前記ブラシピン間に挿入された状態で前記ブラシピンに沿って摺動するため、前記ブラシピンに絡み付いているペットの抜毛が、前記掻き取り部によって掻き取られる。なお、掻き取られた抜毛は、前記ブラシ本体の吸引口から吸引され回収される。
【００２６】
それから、請求項９記載のペット用ブラシのように、不使用時の前記掻き取り部を、前記プラシピンの先端に位置するようにすれば、前記ペット用ブラシをペットから離すと、前記掻き取り部が前記ブラシピンの先端までもどるため、前記ブラシピンに絡みついた抜毛を残らず掻き取ることができる。
【発明の効果】
【００２７】
上述のような手段をもって為される本発明のペット用ブラシによると、ブラッシング中にペット用ブラシが皮膚を強く吸引することがなく、大きな吸引音も生じないため、ペットにストレスを与えずにブラッシングが行なえるようになる。
【００２８】
また、ブラッシングを行なう人にとっては、抜毛を飛散させずに回収することができるため、掃除などの手間が省けるだけでなく、吸引音も静かであるため手軽にブラッシングが行なえるようになる。しかも抜毛が周囲に飛散しないので衛生面においても好適である。
【００２９】
さらに、ブラシ本体の開口部に開度調節可能な開閉ゲートを設けると、吸引力を調節することができるので、ペットの種類や毛の長さ等に応じたより適切なブラッシングが行なえる。
【００３０】
また、スクレーパを設けることで、ブラッシングの際にブラシピンに絡みついたペットの抜毛を簡単に取除くことができ、ブラッシング後の掃除の手間を軽減することができる。
【００３１】
さらに、スクレーパを付勢手段によってブラシピンの先端方向に付勢しておいて、ペット用ブラシをペットに当てると、スクレーパが後退するようにすれば、ペット用ブラシをペットから離すだけで、ブラシピンに絡みついた抜毛がスクレーパによって自動的に掻き取られるため、掃除の手間がほとんど不要になる。しかも、スクレーパによってブラシピンから掻き取られた抜毛は、ブラシ本体の吸引口から吸引して回収することができるため、周囲に飛散せずブラッシングの後始末をする手間も省ける。
【発明を実施するための最良の形態】
【００３２】
以下に、本発明にかかるペット用ブラシの実施形態について、図面１〜４を参照しつつ説明する。本実施形態では、犬や猫など家庭で飼われているペット用のものについて説明するが、遊園地などで飼育されているペットにも用いることができる。
【００３３】
ペット用ブラシ１は図１（ａ）に示すように、先端側に、下部にブラシピン２が設けられているブラシ本体３が配設され、後端側に、一端部がブラシ本体３の後部に取付けられていて吸引装置を連結可能な把持部４が配設されている。
【００３４】
ブラシ本体３はドーム型の形状を有し、内部は空気の流通路３ａになっており、下端開口部はブラッシング中に生じた抜毛を回収するための抜毛吸引口５（以下、単に吸引口５ともいう）となっている。この抜毛吸引口５の縁部に沿って、複数のブラシピン２が配設されている。各ブラシピン２は、断面Ｌ型に形成して下端部を内側に突出させた取付リング２ａの下面に、その下面に対して垂直で、且つ下向きに延びるようにして一体成形したもので、周方向に一定間隔で配設されている。
【００３５】
そして、ブラシ本体３の後部に取付けられている把持部４は円形の断面形状を有し、その長さ方向を平面視でブラシ本体３の半径方向と一致させ、他端部をやや上方に向けた状態に傾けて取付られている。
【００３６】
またブラシ本体３の先端部には、把持部４の前方延長上に位置するようにして、上側の縁を湾曲させて半円状にした開口部６が設けられている。
【００３７】
これらの開口部６と抜毛吸引口５、把持部４の内部は、流通路３ａによってブラシ本体３内で連通している。また抜毛吸引口５と把持部４の内径および開口部６の大きさは、抜毛吸引口５が一番大きく、続いて把持部４の内径、開口部６の順番になっている。
【００３８】
以上説明したペット用ブラシ１のブラシ本体３と把持部４とは、硬質の合成樹脂を用いて、内面が平滑になるように形成されおり、これらの繋ぎ目部分の内面も段差が生じないように平滑に形成されている。一方、ブラシピン２は感触を良くするため軟質の合成樹脂を用いて形成されている。
【００３９】
次に、このペット用ブラシ１の作用について、ブラッシングする場合を例に挙げて説明する。なお吸引装置には、家庭で一般的に使用されている掃除機を使用することとする。
【００４０】
まず連結ホース７の一端部を、掃除機８のホース８ａの先端部に接続するとともに、他端部をブラシ本体３の把持部４の後端部に接続して、ペット用ブラシ１と掃除機８とを連結する。連結ホース７は、内側を流れる空気の流通音を抑えるため、内面が平滑になるように形成されている。
【００４１】
それから掃除機８の電源プラグ（図示せず）をコンセントに差込み、図示していない電源スイッチをＯＮにして掃除機８を動かす。
【００４２】
すると、ブラシ本体３の抜毛吸引口５と開口部６とから空気が吸引されるようになる。この際、開口部６が把持部４の延長上にあるため、開口部６からブラシ本体３内に空気がスムーズに流入して、抜毛吸引口５の吸引力が抑えられている。これに伴って、抜毛吸引口５に生じる吸引音も抑えられている。
【００４３】
またブラシ本体３に流入した空気は流通路３ａ内を、把持部４の長さ方向と同一方向で、且つ直線状の流れとなって把持部４に導入されるため、ブラシ本体３内をスムーズに流通し、生じる吸引音が抑えられている。
【００４４】
またブラシ本体３や把持部４の内面（即ち、流通路３ａ内面）や、ブラシ本体３との把持部４との繋ぎ目部分の内面にも突起を設けず平滑に形成しているため、空気が流通することによって生じる流通音が抑えられている。
【００４５】
こうして、ブラシ本体３の抜毛吸引口５と開口部６とから空気を吸引しながらペットをブラッシングすると、ブラッシング中に生じた抜毛を、抜毛吸引口５から吸引し回収することができる。
【００４６】
また、抜毛吸引口５がペットに皮膚を強く吸引することがなく吸引音も静かであるため、ペットが嫌がったり、怖がったりして逃げ出そうとすることがなく、ブラッシングを簡単に行なえる。
【００４７】
以上、ペット用ブラシの実施形態の一つを説明したが、上記の実施形態の他、図２（ａ）に示すように、ブラシ本体３’をコンピュータのマウスのように、手になじみ易い形状にしておくと、ブラッシングの際にブラシ本体３’に手を添えるようにして持つことで、ブラッシングがより行い易くなる。
【００４８】
このブラシ本体３’は縦断面が逆Ｕ字状になるように形成されており、上面中央部が緩やかな勾配を付けて盛り上がった流線形状に形成され、且つ両側面の中央部が内側に反った流線形状に形成されている。そして、上面の先端側中央部には、横長の長方形の開口部６’が形成されていて内部に空気が流入できるようになっている。
【００４９】
ブラシ本体３’の内部は、空気の流通路３ａ’になっており、下端開口部は抜毛吸引口５’となっている。そして、ブラシ本体３’の下端部には、複数のブラシピン２’が設けられている取付リング２ａ’が固定されている。取付リング２ａ’は断面が縦長の長方形状に形成され、平面視ほぼブラシ本体３’の外径形状に一致する形状に形成されていて、その下面に下方へ延びるブラシピン２’が一定間隔で複数配設されている。
【００５０】
またブラシ本体３’の後部には、円筒形状の把持部４’の一端部が接続されている。この把持部４’は、その長さ方向をブラシ本体３’の真後ろの方向に向けるとともに、ブラシ本体３’の下面に対して平行の状態になるように配設されている。この把持部４’の前方延長上に位置するように、上述した開口部６’が設けられている。
【００５１】
ブラシ本体３’の内面（つまり、流通路３ａ’の内面）と把持部４’の内面は、滑らかな曲面となるように形成されていて、これらの繋ぎ目部分の内面も段差が生じないように形成されている。
【００５２】
このような形状のペット用ブラシ１’でペットのブラッシングを行なうと、ペット用ブラシ１と同様、ブラッシング中の抜毛を回収できるだけでなく、ペットに不快感や恐怖感等を与えることなくブラッシングできる他、ブラシ本体３’が手になじみ易い形状であるため持ちやすく、ブラッシングが楽に行なえる。
【００５３】
また、図１のペット用ブラシ１は開口部６の大きさを、用いる吸引装置の能力に合わせてあらかじめ設定しているが、図２（ｂ）のようにブラシ本体３’の開口部６’に開閉ゲート９’を設け、吸引装置の能力に応じて開口部６’から流入する空気量を調節可能にすることもできる。
【００５４】
この開閉ゲート９’は、略長方形状に形成されたプレートの長辺側の一方の両側端部を、ブラシ本体３’表面の開口部６’よりもやや上側の位置で回転可能に支持されており、図示しないバネで開く方向に付勢されている。そして開閉ゲート９’は、係止部１０’を開口部６’の縁部に係止することで閉じた状態を保持できるようになっている。
【００５５】
この他に、図３の（ａ）や（ｂ）に示したような開閉ゲート１１’を設けることもできる。図３（ａ）は、横長の長方形状のプレートを所定間隔で前後方向に複数枚並べて配置したよろい戸状の開閉ゲート１１’である。各プレートは開口部６’の縁部に両側端部で回転可能に支持されており、図示しない連結杆に連結されて連動可能となっていて、プレ
ートのいずれか一つを上下方向に回転させると、残り全てのプレートが追随して回転するようになっている。
【００５６】
このような開閉ゲート１１’は、プレートを回転させることによって、開口部６’から流入する空気量を調節したり、不使用時には開口部６’を閉じたりすることができる。
【００５７】
また図３（ｂ）は開口部６’に、ブラシ本体３’の上面に沿ってスライドするスライド式の開閉ゲート１２’を設けたもので、開閉ゲート１２’は開口部６’の両側に配設されているスライドレール３ｂ’にガイドされて前後方向に摺動可能となっている。各スライドゲートレール３ｂ’は、前端部を内側に曲げるようにして、スライドゲート１２’の脱落を防止するためのストッパ部３ｃ’が設けられている。
【００５８】
さらに図４（ａ）・（ｂ）に示すように、断面円形の筒状の開閉ゲート１３”を設けて開口部６”から流入する空気量を調節することもできる。
【００５９】
このペット用ブラシ１”は、ブラシ本体３”の上面の先端側中央部に、縦断面形状が略円形の筒状のゲート収納部３ｃ”が横向きに配設されている。ゲート収納部３ｃ”の先端側の外周面には、横長の長方形状の開口部６”が形成されるとともに、ブラシ本体３”内に位置している後端側の外周面に連通孔１４”が形成されて、開口部６”から入った空気が連通孔１４”を通ってブラシ本体３”内の流通路３ａ”に流通可能となっている。
【００６０】
なお開口部６”と連通孔１４”とは、ブラシ本体３”の後部中央に一端部で取付けられ、ブラシ本体３”の下面と平行状態で、且つ真後ろを向くようにして取付けられている把持部４”の前方延長上に位置している。
【００６１】
そして、ゲート収納部３ｃ”の内部には、その内径よりもわずかに小さい外径を有する筒型の開閉ゲート１３”が周方向に摺動可能に収納されている。
【００６２】
この開閉ゲート１３”は中央部に、周方向に延びる２本のスリット１３ａ”が、周方向に並んだ状態で設けられている。各スリット１３ａ”は、幅が徐々に狭くなるようにして形成されており、開閉ゲート１３”の長さ方向の中心軸に対して対称となっている。
【００６３】
また開閉ゲート１３”は、一側面に連結されてゲート収納部３ｃ”の側面から露出させた状態で配設されているツマミ１５”を回すことにより、周方向に回転させることができる。
【００６４】
次に、開閉ゲート１３”の作用について説明する。把持部４”を図示しない吸引装置と連結しているペット用ブラシ１”のツマミ１５”を回して筒型ゲート１３”を回転させ、スリット１３ａ”と開口部６”とを一致させる。すると、開口部６”から流入する空気は、一方のスリット１３ａ”から開閉ゲート１３”内部に入り、他方のスリット１３ａ”から連通孔１４”を通ってブラシ本体３”内へ流入する。そして流通路３ａ”を通り把持部４”へ流れ込む。
【００６５】
開口部６”や連通孔１４”が把持部４”の延長上に配置されているため、開口部６”からブラシ本体３”に空気がスムーズに流入するだけでなく、その空気が滞留することなく把持部１４”に流入する。
【００６６】
この際、ツマミ１５”を回して開閉ゲート１３”を回転させると、開口部６”に位置するスリット１３ａ”の幅を変えることができるため、空気の流入量を調節することができる。
【００６７】
また不使用時には、開閉ゲート１３”のスリット１３ａ”が形成されていない部分を、開口部６”に一致させるようにすれば、開口部６”を閉じた状態にしておくことができる。
【００６８】
それから、これらのペット用ブラシには、絡み付いた抜毛を取除くスクレーパを設けることができる。例として、スクレーパをペット用ブラシ１に設けた場合について説明する。
【００６９】
図５の（ａ）と（ｂ）とに示すように、スクレーパ２１は、環状に形成されており、その下端部を内側に向かって延長することで断面Ｌ型の形状となっている。なお、図５（ｂ）は、図５（ａ）中にある切欠部Ａの拡大図である。
【００７０】
スクレーパ２１の底部２１ａは、その内径が、ブラシ本体３の吸引口とほぼ同じ大きさになっており、各ブラシンピン２に対応する位置には、ブラシピン２の径よりもわずかに大きい貫通孔２１ｂがそれぞれ設けられている。
【００７１】
そして、スクレーパ２１は、貫通孔２１ｂにブラシピン２を挿通させた状態で、ブラシピン２に沿って、上下に摺動可能になっている。図５（ａ）は、スクレーパ２１が下がった状態を示しており、上がった状態を図６（ａ）に示す。
【００７２】
スクレーパ２１は、図６（ｂ）の断面図に示すように、上部内周面に突設した係止部２１ｃを、取付リング２ａの外周面に突設した係合部２ｂに係止させることによって、ブラシピン２の基端部の位置で保持されるようになっている。
【００７３】
スクレーパ２１の係止部２１ｃは、上端からの距離を一定にして、内周面の全周にわたり形成したもので、取付リング２ａの係合部２ｂは、下端からの距離を一定にして、外周面の全周にわたり形成したものである。
【００７４】
こうして、スクレーパ２１を、ブラシピン２の基端部の位置で保持したまま、ペット用ブラシ１でペットをブラッシングするのである。そして、ブラッシングが終われば、スクレーパ２１を、ブラシピン２の先端方向へ押すことによって、係止部２１ｃを係合部２ｂから外して、プラシピン２の先端までずらせる。すると、ブラシピン２に絡みついているペットの抜毛が、スクレーパ２１の底部２１ａによって掻き取られ、ブラシ本体３の吸引口から吸引されて回収されるのである。
【００７５】
それが終わればスクレーパ２１を、ブラシピン２の基端部の位置へ戻し、係止部２１ｃを係合部２ｂに係止させて、ブラシ本体３に保持させるようにする。
【００７６】
また、スクレーパを、図７に示すような旋回型にすることもできる。この旋回型のスクレーパ３１が設けられているペット用ブラシ１Ａは、ブラシ本体３が平面視略矩形状に形成され、このブラシ本体３の後部中央から、把持部４が後方に向かって延設された形状になっている。そして、把持部４の後端部には、外周部を、後方に向かって徐々に縮径したテーパ部を数段設けることにより、タケノコ状に形成した筒型の接続部４ａが設けられている。
【００７７】
そして、ブラシ本体３の先端側上面に、円形の開口部６が、把持部４の前方延長上に位置するように形成されており、この開口部６には、開度を調節する略涙滴型の平板状のゲート９が設けられている。このゲート９は、開口部６の上側で旋回可能に支持されており、ブラシ本体３の表面に沿ってスライドさせることで、開口部６の開度を調節できるようになっている。
【００７８】
ブラシ本体３下面には、吸引口（図示せず）が略矩形状に設けられており、その周囲の先端側と両側とにブラシピン２が設けられている。このうち、両側のブラシピン２は、後ろに向かって段々と高さが低くなるように形成されている。
【００７９】
そして、ブラシ本体３の吸引口近傍に、平面視コの字型に形成するとともに、下端部を内側に向かって延長し、断面形状をＬ型にしたスクレーパ３１が、前面と両側面とに沿うようにして配置されている。スクレーパ３１は、両端部がそれぞれブラシ本体３の両側面で回転可能に支持され、上下方向に旋回できるようになっている。
【００８０】
スクレーパ３１は、底部に各ブラシピン２に対応する貫通孔（図示せず）がそれぞれ形成され、これらの貫通孔にブラシピン２を挿通した状態で、旋回可能になっている。そして、スクレーパ３１は、ブラシ本体３の両側面の先端部に突設した係止部３ａに、スクレーパ３１の内面に形成した凹状の係合部（図示ぜず）を係合させることによって、ブラシ本体３で保持できるようになっている（図７（ｂ）参照）。
【００８１】
このペット用ブラシ１Ａは、ブラシ本体３の下部でスクレーパ３１を保持した状態でペットをブラッシングし、ブラッシングが終了すれば、スクレーパ３１の先端面に形成されている取手３１ａを摘んで下げ、スクレーパ３１をブラシピン２に沿って摺動させることによって、ブラシピン２に絡みついたぺットの抜毛を掻き取るのである（図７（ｂ）参照）。
【００８２】
また、付勢手段を用いれば、摺動させたスクレーパを自動的に戻すこともできる。このようなスクレーパを備えたペット用ブラシを次に説明する。
【００８３】
図８（ａ）・（ｂ）に示すように、ペット用ブラシ１Ｂは、断面略円形のチューブ状に形成されており、一端部がブラシ本体３になっており、開口部が吸引口（図示せず）として下方に向けた状態になっている。また、他端部は、ブラシ本体３から横方向へ湾曲させた形状になっており、把持部４が設けられている。なお、図８（ｂ）は、図８（ａ）のペット用ブラシ１Ｂの一部断面を示す斜視図である。
【００８４】
把持部４は、後方に向かって径を徐々に小さくしたテーパー状になっており、把持部４の先端には、外周部を、後方に向かって徐々に縮径したテーパ部を数段設けることにより、タケノコ状に形成した筒型の接続部４ａが設けられている。
【００８５】
そして、ブラシ本体３は、吸引口の周囲に一定間隔で、ブラシピン２が設けられており、吸引口の周りのブラシ本体３を、外側に突出させて張出部３ｂが形成されている。また、ブラシ本体３の張出部３ｂより上側の外周面には、段差部３ｃが形成されており、この段差部３ｃの下側であって、把持部４の前方延長上には、横長の開口部６が形成されている。
【００８６】
そして、ブラシ本体３の段差部３ｃの下側に、開口部６の開度を調節するための、平面視Ｃ型の調節ツマミ２２が嵌め込まれており、この調節ツマミ２２は、段差部３ｃに沿って摺動しながら回転可能になっている。開口部６の開度は、調節ツマミ２２をスライドさせて、その開いた部分と開口部６との重なり具合によって調節することがでる。これにより、ブラシ本体３に流入する空気量を、調節することができる。
【００８７】
このペット用ブラシピン１Ｂのスクレーパ４１は、筒型に形成され、上下に分割可能になっており、上側のパーツ４２は、内周面の下半分を拡径して段差部４２ａを設け、この段差部４２ａとブラシ本体３の張出部３ｂとの間に、ばね２３が配設され上方へ付勢されている。また、上側のパーツ４２の下部には、外径を縮径して小径部４２ｂが設けられており、小径部４２ｂの外周面に、一部を全周にわたって突出させて係止部４２ｃが設けられている。
【００８８】
下側のパーツ４３は、断面が略Ｌ字型に形成されており、底部には各ブラシピン２に対応する位置に、各ブラシピン２を挿通可能な貫通孔４３ａがそれぞれ設けられ、上部４３ｂの内周面に、全周にわたり形成した断面凹状の係合部に、上側のパーツ４２の係止部４２ｃを係止させることで、上側のパーツ４２と一体で上下動可能になっている。
【００８９】
このスクレーパ４１は、上側のパーツ４２がばね２３によって上方へ付勢されているため、ブラシピン２の基端部の位置で保持された状態になっている。
【００９０】
このペット用ブラシ１Ｂは、ブラッシングが終了した後、スクレーパ４１を持って下方へ摺動させることにより、ブラシピンに絡み付いたペットの抜毛をスクレーパ４１で掻き取ることができる。そして、手を離すとスクレーパ４１は、ばね２３の復元力によって自動的に元の位置に戻る。
【００９１】
また、スクレーパをペット用ブラシを握った手で動かせるようにすることで、より手軽にブラシピンの掃除ができるようにしたものもある。
【００９２】
図９（ａ）、（ｂ）に示すようにこのペット用ブラシ１Ｃは、ペット用ブラシ１Ａと同じような形状を備えている。なお、図９（ｂ）は、ペット用ブラシ１Ｃの先端側の縦断面を示している。
【００９３】
ペット用ブラシ１Ｃは、把持部４の先端側の一部を細くして段差部４ｂが設けられており、縦断面形状が逆Ｕ字型のレバー２４が、段差部４ｂを跨いだ状態で、配置されている。このレバー２４は、両側面の後端側で、段差部４ｂの側面に回転可能に支持されており、上下方向に旋回自在になっている。
【００９４】
レバー２４の両側面の下端部には、前方に張出すようにしてスクレーパ５１が設けられている。このスクレーパ５１は、扁平な形状に形成されており、段差部４ｂより前側に位置するブラシ本体３の下面と把持部４の下面と、ほぼ同じ外形形状になっている。
【００９５】
そして、ブラシ本体３に対応する部分には、吸引口５とほぼ同じ大きさで開口部５１ａが形成されており、その周囲には、各ブラシピン２に対応する位置に、ブラシピン２を挿通可能な貫通孔５１ｂが設けられている。
【００９６】
このスクレーパ５１は、レバー２４が、段差部４ｂの上面に一端部が固定され配設されているコイルばね２５によって、上方へ付勢されているため、常時、ブラシ本体３・把持部４の下面に沿った状態で保持されている。
【００９７】
このようにしてスクレーパ５１が保持されているペット用ブラシ１Ｃで、ペットをブラッシングした後、把持部４を握っている手の親指などでレバー２４を押せば、レバー２４が下方に旋回してスクレーパ５１が、貫通孔５１ｂにブラシピン２を挿通した状態で、ブラシピン２に沿って下向きに摺動する。こうして、ブラシピン２に絡みついているペットの抜毛が、スクレーパ５１によって掻き取られる。
【００９８】
それから、ブラシピン２に絡みついた毛を自動的に掻き取るスクレーパを設けることもできる。このスクレーパをペット用ブラシ１に設けた場合を次に説明する。なお、このスクレーパ６１を設けたペット用ブラシ１の取付リング２ａは、縦断面が略矩形の中空形状に形成されている。
【００９９】
このスクレーパ６１は、図１０と図１１とに示すように扁平なリング状に形成されており、各ブラシンピン２に対応する位置に、ブラシピン２の径よりもわずかに大きい貫通孔６１ａがそれぞれ設けられており、各貫通孔６１ａにブラシピン２を挿通した状態でブラシピン２に沿って上下に摺動可能になっている。
【０１００】
スクレーパ６１の上面には、周方向に所定の間隔ごとに棒状のストッパ２６が立設されている。このストッパ２６は、隣合う貫通孔６１ａの間に位置するように立設されており、上端部には上端に向かって徐々に拡径して形成したテーパー状の係止部２６ａが設けられている。
【０１０１】
各ストッパ２６は、取付リング２ａの底部２ｂに設けた貫通孔２ｃにそれぞれ挿通した状態になっており、係止部２６ａが貫通孔２ｃで係止されるようになっている。こうすることで、スクレーパ６１は下がり過ぎることがなくブラシピン２から外れないようになっている。
【０１０２】
また、スクレーパ６１は、ブラシピン２に通したコイルばね２７によってブラシピン２の先端方向に付勢された状態になっている。このコイルばね２７は、所定の間隔ごとに隣合う一対のブラシンピン２を、上方に長さを延長して取付リング２ａの底部２ｂを貫通させ、各ブラシピン２の上端部を、横渡し部材２ｄで連結して一体にし、この一体にした二本のブラシピン２のうちの一方に通した状態で配置している。
【０１０３】
コイルばね２７が通されていないブラシピン２は、取付リング２ａの底部２ｂで固定されており、コイルばね２７が通されている方のブラシピン２は、その径に比べて大きめに形成されている貫通孔２ｅに、コイルばね２７と共に貫通された状態になっている。
【０１０４】
コイルばね２７は、一端が横渡し部材２ｄで係止されることによって、スクレーパ６１を下方に向かって付勢している。このコイルばね２７は、ペット用ブラシ１をペットに押し当てるとスクレーパ６１が後退して、ブラシピン２の基端側に移動し（図６（ｂ）参照）、ペットから離すとストッパ２６の係止部２６ａが、貫通孔２ｃに係止されるまで、スクレーパ６１を、ブラシピン２の先端方向に押し戻すような付勢力を備えている。なお不使用時、スクレーパ６１はブラシピン２の先端に位置した状態になっている。
【０１０５】
このコイルばね２７は、周囲が筒状カバー２８で覆われている。この筒状カバー２８はストッパ２６よりも少し長めに形成されて、ブラシピン２、コイルばね２７と共に貫通孔２ｅに挿通された状態になっており、下端部がスクレーパ６１の上面に固定されている。したがって、この筒状カバー２８はスクレーパ６１の動きに追随して上下動し、コイルばね２７への抜毛の絡み付きを防止している。
【０１０６】
このようにスクレーパ６１を設けたペット用ブラシ１をペットに当てると、スクレーパ６１が後退してブラシピン２の基端側へ移動し、スクレーパ６１の下面からブラシピン２が突出した状態になりブラッシングすることができる。
【０１０７】
そして、ペット用ブラシ１をペットから離すと、スクレーパ６１は、ストッパ２６の係止部２６ａが貫通孔２ｃに係止されるまで、ブラシピン２に沿って摺動しながらブラシピン２の先端側に移動する。この際、スクレーパ６１よってブラシピン２に絡みついたペットの抜毛が掻き取られる。掻き取られた抜毛は、ブラシ本体３の抜毛吸引口５から吸引されて回収される。
【０１０８】
上記の実施形態では、ストッパ２６を設けることによってスクレーパ６１がブラシピン２から外れないようにしているが、コイルばね２７の筒状カバー２８の上端部に、上端に向かって徐々に拡径し、その径が少なくとも上端部で貫通孔２ｅの径よりも大きくなるように形成したテーパー状の係止部２８ａを設けることで、ストッパ２６と同様の機能を筒状カバー２８に持たせることができる。こうするとストッパ２６を省略することができ、構造をよりシンプルにすることができる（図１２（ａ）参照）。
【０１０９】
また、上記とは別の方法でスクレーパ６１を付勢することもできる。即ち、図１２（ｂ）に示すように、スクレーパ６１に所定の間隔で細い柱状のガイド部材２９を立設し、これらのガイド部材２９を、取付リング２ａの底部２ｂに設けた貫通孔２ｆから取付リング２aの内部に向かって貫通させ、各ガイド部材２９の上端部を、取付リング２ａ内でスクレーパ６１と平行に配置した平たいリング状の連結部材３０’の下面に、それぞれ連結する。
【０１１０】
そして、連結部材３０’の上面と取付リング２ａの上部２ｇとの間に、コイルばね３１’を設ける。このコイルばね３１’を、連結部材３０’の周方向に、一定の間隔で配置し、これらのコイルばね３１’で、連結部材３０’を下方に向かって付勢した状態にする。各コイルばね３１’は、一端部が取付リング２ａの上部２ｇに一端を固定した筒状ガイド３２に挿入された状態で固定し、横方向に振れることなく伸縮できるようにする。
【０１１１】
このようにして、連結部材３０’をコイルばね３１’で付勢することによって、スクレーパ６１を下方に付勢した状態にすることができ、連結部材３０’が取付リング２ａの底部２ｂに係止されるためスクレーパ６１が下がり過ぎてブラシピン２から外れることがない。なお、コイルばね３１’の代わりに板ばねを用いることもできる。
【０１１２】
次に、別の実施形態のスクレーパをペット用ブラシ１’に設けた場合を説明する。なお、ブラシピン２’は取付リング２ａ’を介さずに直接ブラシ本体３’に取付けられている。
【０１１３】
図１３（ａ）、（ｂ）とに示すように、ブラシ本体３’の前端部は、開口部６’より下側を縦断面が、略矩形の中空形状になるように形成され中空部３ｄ’が設けられている。そして、中空部３ｄ’が設けられている部分のブラシ本体３’下面に、複数のブラシピン２’がブラシ本体３ａ’の下面に対して垂直で、且つ幅方向に一列で配列されている。
【０１１４】
そして、ブラシピン２’より後方のブラシ本体３’の下面には、中空部３ｄ’の内部まで貫通する開口部３ｅ’が設けられている。この開口部３ｅ’から中空部３ｄ’の内側に向かって一端部を挿入した状態で、スクレーパ７１が支持されている。
【０１１５】
スクレーパ７１は、縦断面がＬ型形状に形成されており、先端部に櫛歯状の掻き取り部７２ａを設けた抜毛清掃部７２と、抜毛清掃部７２の後端部に対して垂直に設けられている取付部７３とからなっている。
【０１１６】
このスクレーパ７１は、掻き取り部７２ａを前方に向けブラシピン２’間にそれぞれ挿入した状態で配置され、取付部７３を開口部３ｅ’から中空部３ｄ’の内側に挿入して内部に配設しているねじりコイルばね３３に固定することで支持されている。こうすることによってスクレーパ７１は、コイルばね３３を中心にして旋回可能になっており、掻き取り部７２ａは、ブラシピン２’に沿って摺動するようになっている。
【０１１７】
スクレーパ７１はねじりコイルばね３３によって、ブラシピン２’の先端方向に旋回する向きに付勢されており、不使用中は掻き取り部７２ａの先端が、ブラシピン２’の先端に位置した状態になっている。
【０１１８】
このねじりコイルばね３３は、ペット用ブラシ１’をペットに当てると、スクレーパ７１が、ブラシピン２’の基端方向に旋回するようにして後退し、ペットから離すとブラシピン２’の先端方向に旋回して元の状態に戻すような不勢力を備えている。
【０１１９】
このようなペット用ブラシ１’をブラッシングの際にペットに当てると、スクレーパ７１が、ブラシピン２’の基端方向に旋回するようにして後退し、掻き取り部７２ａの間から、ブラシピン２’が下方に向かって突出した状態になり、ブラッシングを行うことができる。
【０１２０】
そして、ペット用ブラシ１’をペットから離すと、スクレーパ７１はブラシピン２’の先端方向に旋回し元の状態になる。この際、スクレーパ３１は、掻き取り部７２ａをブラシピン２’間に挿入させた状態でブラシピン２’に沿って摺動させながら旋回するため、ブラシピン２’に絡みついたペットの抜毛は掻き取り部７２ａによって取除かれる。こうしてブラシピン２’から取除かれたペットの抜毛は、ブラシ本体３’の抜毛吸引口５’から吸引され回収される。
【０１２１】
また、図１３（ｃ）に示すようにブラシピン２’とスクレーパ７１との位置を前後逆向きに取付けることもできる。この場合、ブラシピン２’が抜毛吸引口５’に近くなりスクレーパ７１でブラシピン２’から掻き落とされたペットの抜毛が、抜毛吸引口５’に吸引されやすくなる。
【０１２２】
なお、これらの実施形態では付勢手段にコイル状のばねを用いているがこれに限ることなく、ペット用ブラシをペットに当てるとスクレーパが簡単に動き、且つペットから離すとスクレーパを元の状態に戻すことができる弾性を備えているものであれば用いることができる。
【図面の簡単な説明】
【０１２３】
【図１】（ａ）は本発明にかかるペット用ブラシを示す斜視図であり、（ｂ）はこのペット用ブラシを家庭用掃除機（吸引装置）に連結した状態を示す説明図である。
【図２】（ａ）は本発明にかかるペット用ブラシの別の実施形態を示す斜視図であり、（ｂ）は（ａ）に示したペット用ブラシのブラシ本体の開口部にゲートを設けたものを示している。
【図３】（ａ）および（ｂ）はそれぞれ、ブラシ本体の開口部に別のタイプのゲートを設けたペット用ブラシの斜視図を示している。
【図４】（ａ）はブラシ本体の開口部にさらに別のタイプのゲートを設けたペット用ブラシの斜視図であり、（ｂ）その縦断面図を表している。
【図５】（ａ）は、ペット用ブラシ１にスクレーパを取付けた状態を示す斜視図であり、（ｂ）は、（ａ）における切欠部Ａの部分拡大図である。
【図６】（ａ）は、図５のペット用ブラシのスクレーパが上がった状態を示しており、（ｂ）は、スクレーパの保持状態を示すためのペット用ブラシの一部断面図を示している。
【図７】（ａ）は、旋回型のスクレーパを設けた本発明のペット用ブラシにかかる実施形態を示す斜視図であり、（ｂ）は、（ａ）のペット用ブラシのスクレーパが旋回する状態を示している側面図である。
【図８】（ａ）は、自動的に元の位置に戻るスクレーパを備えたペット用ブラシの実施形態を示す斜視図であり、（ｂ）は、縦断面の一部を示す斜視図である。
【図９】（ａ）は、自動的に元の位置に戻る旋回型のスクレーパを備えたペット用ブラシにかかる別の実施形態を示す斜視図であり、（ｂ）は、（ａ）のペット用ブラシのスクレーパが旋回する状態を示した側面図である。
【図１０】ブラシピンに絡みついた抜毛を自動的に掻き取るスクレーパを設けているペット用ブラシの斜視図で、（ａ）はスクレーパが下がった状態を示しており、（ｂ）はスクレーパが上がった状態を示している。
【図１１】スクレーパの構造を示す概略図で、（ａ）はペット用ブラシをペットから離した状態を示し、（ｂ）はペット用ブラシをペットに当てた状態を示している。
【図１２】（ａ）はスクレーパの別の実施形態を示す概略図で、（ｂ）はさらに別の形態を示す概略図である。
【図１３】櫛歯状の掻き取り部を備えたスクレーパが設けられているペット用ブラシの実施形態を示す概略図で、（ａ）はペット用ブラシをペットから離した状態を示し、（ｂ）はペット用ブラシをペットに当てた状態を示し、（ｃ）は（ａ）および（ｂ）のスクレーパの向きを変えたペット用ブラシの実施形態を示す概略図である。
【符号の説明】
【０１２４】
１    ペット用ブラシ
２    ブラシピン
２ａ  取付リング
３    ブラシ本体
３ａ  流通路（空気流通路）
４    把持部
５    抜毛吸引口
６    開口部
７    連結ホース
８    掃除機（吸引装置）
９’  開閉ゲート
【図１】
2006068485.tif 000003
【図２】
2006068485.tif 000004
【図３】
2006068485.tif 000005
【図４】
2006068485.tif 000006
【図５】
2006068485.tif 000007
【図６】
2006068485.tif 000008
【図７】
2006068485.tif 000009
【図８】
2006068485.tif 000010
【図９】
2006068485.tif 000011
【図１０】
2006068485.tif 000012
【図１１】
2006068485.tif 000013
【図１２】
2006068485.tif 000014
【図１３】
2006068485.tif 000015